(57)【要約】      （修正有）【課題】構造が簡単で、運行が安定した低騒音のビル入り口の警備装置を提供する。【解決手段】壁３の内に取り付けたロック機構、及び壁の下に取り付けた防犯ドア１を含む。ロック機構は、壁の内に設置される横方向シュート１４、及び横方向シュート左端の壁の内に設置される駆動モータ２を含む。駆動モータの出力軸の上に、駆動軸１５を固定的に取り付ける。駆動軸の右端がベアリングを通じて、壁の右端に取り付ける。駆動軸の上にスライドセット９を取り付ける。スライドセットの内に、上下に滑らせることができるロックブロック８を取り付ける。スライドセットの底部に、ロックブロックリミットに使用するリミット突出１２を設置する。リミット突出とロックブロックの間に、リターンスプリング１１を取り付ける。ロックブロックの上端にホイール７を取り付け、横方向シュート上端の壁の内に、スライドレールを設置する。スライドレールは左から右に、圧入平面部４、過渡平面部５から伸びる平面部６がある。防犯ドア１の上端に、ロック穴１３を設置する。【選択図】図１
0003200288.tif 000002
【実用新案登録請求の範囲】
【請求項１】
警備装置において、壁（３）内に取り付けたロック機構、及び壁（３）の下に取り付けた防犯ドア（１）を含み、ロック機構は、壁（３）内に設置される横方向シュート（１４）、及び横方向シュート（１４）の左端の壁３内に設置される駆動モータ（２）を含み、駆動モータ（２）の出力軸に、駆動軸（１５）が固定的に取り付けられ、駆動軸（１５）の右端が、ベアリングを通じて壁（３）の右端に取り付けられ、駆動軸（１５）上にスライドセット（９）が取り付けられ、スライドセット（９）内に、上下滑りができるロックブロック（８）が取り付けられ、スライドセット（９）の底部に、ロックブロック（８）をリミットするために使用するリミット突出部（１２）が設置され、リミット突出部（１２）とロックブロック（８）の間に、リターンスプリング（１１）が取り付けられ、ロックブロック（８）の上端にホイール（７）が取り付けれ、横方向シュート（１４）上端の壁（３）内に、スライドレールが設置され、スライドレールは左から右に、圧入平面部（４）、過渡平面部（５）と平面部（６）があり、防犯ドア（１）の上端に、ロックブロック（８）と配合するためのロック穴（１３）が設置され、駆動モータ（２）と壁（３）の間に、消音コットン（２１）が取り付けられ、消音コットンは、駆動モータ（２）が駆動する時に、騒音が発生することを大幅に低下することができることを特徴とする警備装置。
【請求項２】
請求項１に記載の警備装置において、ロックブロック（８）は、スライドセット（９）の内壁と滑り合い、リターンスプリング（１１）の伸縮を収容できることを特徴とする警備装置。
【考案の詳細な説明】
【技術分野】
【０００１】
本実用新案は、一種のビルセキュリティ施設にかかわる。具体的に、一種の低騒音のビル入り口の警備装置にかかわる。
【背景技術】
【０００２】
現代化の発展に従って、いくつかの高層ビルは、時々にこそどろの行為があり、特に、オフィスビルやマンションである。安全要素を考えるために、入り口の警備装置をインストールすることが必要であり、盗難防止の現象を減っている。しかし、従来の入り口の警備装置の構造が複雑で、しかもインストールのコストが高い。
【考案の概要】
【考案が解決しようとする課題】
【０００３】
本実用新案が解決の技術問題は、一種の構造が簡単で、運行が安定であるの低騒音のビル入り口の警備装置を提供する。
【課題を解決するための手段】
【０００４】
本実用新案は、以下の技術方案によって実現する。一種の低騒音のビル入り口の警備装置は、壁の内に取り付けたロック機構、及び壁の下に取り付けた防犯ドアを含みる。ロック機構は、壁の内に設置される横方向シュート、及び横方向シュート左端の壁の内に設置される駆動モータを含みる。駆動モータの出力軸の上に、駆動軸を固定的に取り付けた。駆動軸の右端がベアリングを通じて、壁の右端に取り付けた。駆動軸の上にスライドセットを取り付けた。スライドセットの内に、上下滑りことができるロックブロックを取り付けた。スライドセットの底部に、ロックブロックをリミットするために使用するリミット突出を設置される。リミット突出すとロックブロックの間に、リターンスプリングを取り付けた。ロックブロックの上端にホイールを取り付けれ、横方向シュート上端の壁の内に、スライドレールを設置される。スライドレールは左から右に、圧入平面部、過渡平面部と伸ばす平面部がある。防犯ドアの上端に、ロックブロックと配合するためのロック穴を設置される。駆動モータと壁の間に、消音コットンを取り付けた。消音コットンは、駆動モータを仕事する時に、発生の騒音が大幅に低下できる。
【０００５】
さらに技術方案で、ロックブロックの上端は、広く辺で、スライドセットの内壁と滑り合わせる。下端は、狭く辺で、リターンスプリングの伸縮を収容できる。
【考案の効果】
【０００６】
本実用新案の有益効果は、駆動モータの回転を利用するから、スライドセットが駆動軸の上に左右運動される。ロックブロックは、スライドセットの運動の過程の中で伸縮できる。伸ばす時に、防犯ドアをロックされる。引っ込める時に、防犯ドアのロックを解除される。本実用新案の構造は簡単で、インストールが便利である。インストールのコストは大幅に低下し、かつ本実用新案の運行も安定である。
【図面の簡単な説明】
【０００７】
【図１】新型の一種の低騒音のビル入り口の警備装置の見取り図である。
【図２】新型の一種の低騒音のビル入り口の警備装置がロックする時の見取り図である。
【考案を実施するための形態】
【０００８】
図１と図２を参考して、この発明に詳細な説明をする。この一種の低騒音のビル入り口の警備装置は、壁３の内に取り付けたロック機構、及び壁３の下に取り付けた防犯ドア１を含みる。ロック機構は、壁３の内に設置される横方向シュート１４、及び横方向シュート１４左端の壁３の内に設置される駆動モータ２を含みる。駆動モータ２の出力軸の上に、駆動軸１５を固定的に取り付けた。駆動軸１５の右端がベアリングを通じて、壁３の右端に取り付けた。駆動軸１５の上にスライドセット９を取り付けた。スライドセット９の内に、上下滑りことができるロックブロック８を取り付けた。スライドセット９の底部に、ロックブロック８をリミットするために使用するリミット突出１２を設置される。リミット突出す１２とロックブロック８の間に、リターンスプリング１１を取り付けた。ロックブロック８の上端にホイール７を取り付けれ、横方向シュート１４上端の壁３の内に、スライドレールを設置される。スライドレールは左から右に、圧入平面部４、過渡平面部５と伸ばす平面部６がある。防犯ドア１の上端に、ロックブロック８と配合するためのロック穴１３を設置される。駆動モータ２と壁３の間に、消音コット２１ンを取り付けた。消音コットンは、駆動モータ２を仕事する時に、発生の騒音が大幅に低下できる。
【０００９】
ロックブロック８の上端は、広く辺で、スライドセット９の内壁と滑り合わせる。下端は、狭く辺で、リターンスプリング１１の伸縮を収容できる。
【００１０】
使用する時に、駆動モータの回転を利用し、スライドセットが左へ運動する。その過程の中で、ロックブロックがゆっくりと圧迫される。最終的に、ロックブロックの下端がロック穴の中までに入れる。駆動モータの運転を止めた後で、駆動軸とスライドセット中のネジが合わせることを利用して、ビンディングをする。駆動モータが逆に回転することを利用した後で、スライドセットを右へ運動される。この過程の中で、リターンスプリングの役割から、ロックブロックをゆっくりと引っ込めれる。最終的に、ロックブロックが完全にスライドセットの中に引っ込めれる。この時に、ロックを解除され、防犯ドアを開ける。
【００１１】
本実用新案の有益効果は、駆動モータの回転を利用するから、スライドセットが駆動軸の上に左右運動される。ロックブロックは、スライドセットの運動の過程の中で伸縮できる。伸ばす時に、防犯ドアをロックされる。引っ込める時に、防犯ドアのロックを解除される。本実用新案の構造は簡単で、インストールが便利である。インストールのコストは大幅に低下し、かつ本実用新案の運行も安定である。
【００１２】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１３】
１  防犯ドア
２  駆動モータ
３  壁
４  圧入平面部
５  過渡平面部
６  平面部
【図１】
0003200288.tif 000003
【図２】
0003200288.tif 000004